(57)【要約】【課題】ハウジングが短寸であっても、ハウジングを支障なく設置可能なようにする。【解決手段】コネクタは、壁部３００の壁面３０１よりも奥側に位置して壁面３０１に開口する収容空間３０３にほぼ全体が挿入され、収容空間３０３で相手ハウジング２００と嵌合されるものであり、手前側を向く後面から電線５００が引き出されるハウジング１０と、電線５００を通す電線通し空間６６を有してハウジング１０に取り付けられ、ハウジング１０が収容空間３０３に挿入されたときに、壁面３０１よりも手前側に露出する部分を有するアタッチメント６０とを備える。【選択図】図１６
2014022288.tif 000002
【特許請求の範囲】
【請求項１】
壁部の壁面よりも奥側に位置して壁面に開口する収容空間にほぼ全体が挿入され、前記収容空間で相手ハウジングと嵌合されるものであり、手前側を向く後面から電線が引き出されるハウジングと、
前記電線を通す空間を有して前記ハウジングに取り付けられ、前記ハウジングが前記収容空間に挿入されたときに、前記壁面よりも手前側に露出する部分を有するアタッチメントとを備えることを特徴とするコネクタ。
【請求項２】
前記アタッチメントが、前記電線を間に挟んだ両側に対向して連結される一対の半割体からなることを特徴とする請求項１記載のコネクタ。
【請求項３】
前記一対の半割体が互いに同一形状とされていることを特徴とする請求項２記載のコネクタ。
【請求項４】
前記ハウジングには、前記相手ハウジングを嵌合状態に係止可能なロックアームが撓み可能に形成され、
前記一対の半割体は、それぞれ貫通孔を有して互いに上下反転した状態で前記ハウジングに取り付けられ、取付状態では、前記貫通孔が、前記アタッチメントの下面に開口して水を抜くことが可能な水抜き空間になるとともに、前記アタッチメントの上面に開口して前記ロックアームへの操作を許容する操作空間になることを特徴とする請求項２又は３記載のコネクタ。
【請求項５】
前記アタッチメントには、前記ハウジングの嵌合方向と交差する方向に突出して手指を引っ掛けることが可能な指掛け部が形成されていることを特徴とする請求項１ないし４のいずれか１項記載のコネクタ。
【請求項６】
前記ハウジングには複数のハウジング側ロック部が形成され、前記アタッチメントには前記複数のハウジング側ロック部にそれぞれ係止可能な複数のアタッチメント側ロック部が形成されており、前記複数のハウジング側ロック部が形状を異にする複数種で構成され、前記複数のアタッチメント側ロック部が前記複数種のハウジング側ロック部のいずれとも係止可能な形状を有する単一種で構成されていることを特徴とする請求項１ないし５のいずれか１項記載のコネクタ。
【発明の詳細な説明】
【技術分野】
【０００１】
本発明は、コネクタに関する。
【背景技術】
【０００２】
特許文献１に開示のコネクタは、後面から複数の電線が引き出されるハウジングと、ハウジングの後端部に取り付けられる電線カバーと、電線カバーの内側に取り付けられるコルゲートチューブとを備えている。コルゲートチューブの内部には複数の電線が挿通され、各電線はコルゲートチューブ及び電線カバーによって保護される。
【先行技術文献】
【特許文献】
【０００３】
【特許文献１】特開平１０−２７６４５号公報
【発明の概要】
【発明が解決しようとする課題】
【０００４】
ところで、近年は小型のコネクタが好適に用いられる傾向にあり、それに伴いハウジングの小型化も求められるようになっている。一方、小型化の要請によりハウジングの前後寸法が小さくなると、相手ハウジングとの嵌合時に、手指でハウジングをうまく摘むことができないこともあり、嵌合作業に難渋するという事情がある。とりわけ、パネル等の壁面に開口する孔を通してその壁面よりも奥側の空間にハウジングを設置する場合に、ハウジングが短寸であってハウジング全体を奥側の空間に挿入しなければならなくなると、パネル等に手指が干渉して、作業性が極めて悪いという問題がある。
【０００５】
本発明は上記のような事情に基づいて完成されたものであって、ハウジングが短寸であっても、ハウジングを支障なく設置することができるようにすることを目的とする。
【課題を解決するための手段】
【０００６】
本発明のコネクタは、壁部の壁面よりも奥側に位置して壁面に開口する収容空間にほぼ全体が挿入され、前記収容空間で相手ハウジングと嵌合されるものであり、手前側を向く後面から電線が引き出されるハウジングと、前記電線を通す空間を有して前記ハウジングに取り付けられ、前記ハウジングが前記収容空間に挿入されたときに、前記壁面よりも手前側に露出する部分を有するアタッチメントとを備えるところに特徴を有する。
【発明の効果】
【０００７】
ハウジングが壁部の壁面よりも奥側の収容空間に挿入されたときに、アタッチメントが壁面よりも手前側に露出する部分を有するから、その露出部分に手指をあてがうことにより、ハウジングを収容空間に支障なく設置することができる。
【図面の簡単な説明】
【０００８】
【図１】本発明の実施例１に係るコネクタの平面図である。
【図２】コネクタの底面図である。
【図３】コネクタの側面図である。
【図４】コネクタの背面図である。
【図５】コネクタを側方から視た断面図である。
【図６】ハウジングの平面図である。
【図７】ハウジングを側方から視た断面図である。
【図８】ハウジングの背面図である。
【図９】半割体の背面図である。
【図１０】半割体の側面図である。
【図１１】半割体を上方から視た断面図である。
【図１２】半割体の正面図である。
【図１３】半割体の斜視図である。
【図１４】コネクタを設置した状態をあらわす斜視図である。
【図１５】コネクタを設置した状態をあらわす底面図である。
【図１６】コネクタを設置した状態をあらわす側方から視た断面図である。
【発明を実施するための形態】
【０００９】
本発明の好ましい形態を以下に示す。
前記アタッチメントが、前記電線を間に挟んだ両側に対向して連結される一対の半割体からなる。こうすると、ハウジングの後面から電線を引き出した状態で、ハウジングにアタッチメントを取り付けることができる。
【００１０】
前記一対の半割体が互いに同一形状とされている。したがって、一対の半割体を成形するために別々の金型を用意する必要がなく、コストを低減することができる。
【００１１】
前記ハウジングには、前記相手ハウジングを嵌合状態に係止可能なロックアームが撓み可能に形成され、前記一対の半割体は、それぞれ貫通孔を有して互いに上下反転した状態で前記ハウジングに取り付けられ、取付状態では、前記貫通孔が、前記アタッチメントの下面に開口して水を抜くことが可能な水抜き空間になるとともに、前記アタッチメントの上面に開口して前記ロックアームへの操作を許容する操作空間になる。このように、一対の半割体が互いに上下反転した状態でハウジングに取り付けられることにより、取付状態では、貫通孔がアタッチメントの上下両面でそれぞれ水抜き空間及び操作空間として兼用されるため、全体の構成が簡素化される。
【００１２】
前記アタッチメントには、前記ハウジングの嵌合方向と交差する方向に突出して手指を引っ掛けることが可能な指掛け部が形成されている。このように、指掛け部がハウジングの嵌合方向と交差する方向に突出する形態であれば、手指で指掛け部を引っ掛け易くなり、収容空間にハウジングを挿入する作業及び相手ハウジングとの嵌合作業を円滑に行うことができる。
【００１３】
前記ハウジングには複数のハウジング側ロック部が形成され、前記アタッチメントには前記複数のハウジング側ロック部にそれぞれ係止可能な複数のアタッチメント側ロック部が形成されており、前記複数のハウジング側ロック部が形状を異にする複数種で構成され、前記複数のアタッチメント側ロック部が前記複数種のハウジング側ロック部のいずれとも係止可能な形状を有する単一種で構成されている。ハウジング側ロック部がいずれのアタッチメント側ロック部にも係止可能とされるため、ハウジングに対するアタッチメントの取付姿勢の転換等に対応することが可能となる。また、ハウジング側ロック部が形状を異にする複数種で構成されることにより、ハウジングに対するアタッチメントの取付姿勢が不正に傾くのを効果的に防止することができる。
【００１４】
＜実施例１＞
本発明の実施例１を図１〜図１６によって説明する。本実施例のコネクタは、図１６に示すように、ハウジング１０、アタッチメント６０及び端子金具１００を備えている。ハウジング１０は、相手ハウジング２００に嵌合可能とされている。なお、以下の説明において、手前側とは、嵌合作業を行う際に作業者が位置する側のことであり、奥側とは、手前側とは反対側であって、作業者が位置しない側のことである。
【００１５】
相手ハウジング２００は、合成樹脂製のフード部２０１を有し、図１６に示すように、自動車のパネル等を構成して上下方向にほぼ沿った壁面３０１を有する壁部３００に固定されている。壁部３００には、図１４にも示すように、筒状のコネクタ収容部３０２が奥側に膨出して形成されている。コネクタ収容部３０２の内部には、コネクタを遊嵌して収容可能な収容空間３０３が形成されている。相手ハウジング２００は、コネクタ収容部３０２の奥側の端面に連結されている。
【００１６】
フード部２０１は、図１６に示すように、コネクタ収容部３０２の奥側の壁を貫通して収容空間３０３の内部に臨み、収容空間３０３の内部において手前側へ向けて突出して配置されている。フード部２０１の上壁の前端部には、ロック突起２０２が形成されている。また、フード部２０１内には、複数のタブ状の相手端子金具４００が突出して配置されている。
【００１７】
ハウジング１０は合成樹脂製であって、図７に示すように、略角ブロック状のハウジング本体１１と、ハウジング本体１１の周りを取り囲む略角筒状の嵌合筒部１２とを有している。ハウジング本体１１と嵌合筒部１２との間は、相手ハウジング２００のフード部２０１が前方から嵌合可能な嵌合空間１３として開放されている。本実施例のハウジング１０は、前後寸法が比較的短い短寸の形態とされている。
【００１８】
ハウジング本体１１は、前後方向に細長い形態とされ、その前端が嵌合筒部１２の前端よりも前方に位置している。ハウジング本体１１の内部には、図８に示すように、複数のキャビティ１４が前後方向に延出して形成されている。また、ハウジング本体１１の後部には、各キャビティ１４を区画する複数の筒部１５が形成されている。各筒部１５は、断面円形をなし、上下左右で互いに連結された状態で整列に配置されている。そして、各キャビティ１４内には、後方から端子金具１００が挿入される。
【００１９】
端子金具１００は、図１６に示すように、筒状の接続部１０１と、接続部１０１よりも後方に位置するオープンバレル状のバレル部１０２とを有している。接続部１０１内には両ハウジング１０、２００の嵌合時に相手端子金具４００が挿入され、接続部１０１内で両端子金具１００、４００が互いに導通接続されるようになっている。バレル部１０２は電線５００の端末部に接続されている。
【００２０】
また、図７に示すように、ハウジング本体１１の上面には、ロックアーム１６が連結されている。ロックアーム１６は、ハウジング本体１１の上面から立ち上がる脚部１７と、脚部１７の上端から前後両方向に延出するアーム本体部１８とを有している。アーム本体部１８は、脚部１７を支点として上下方向に撓み変形可能とされている。アーム本体部１８の前端部には、ロック孔１９が貫通して形成されている。また、アーム本体部１８の後端部には、解除時に押圧される操作部２０が一段高く形成されている。両ハウジング１０、２００の嵌合過程では、アーム本体部１８がロック突起２０２と干渉して撓み変形させられ、図１６に示すように、両ハウジング１０、２００の正規嵌合時には、アーム本体部１８が弾性復帰するとともにロック孔１９にロック突起２０２が嵌まり込み、もって両ハウジング１０、２００が互いに離脱するのが規制されるようになっている。
【００２１】
図６に示すように、嵌合筒部１２の上壁には、凹所２１が後端に開口して形成されている。アーム本体部１８は凹所２１内に露出して配置され、凹所２１を通して操作部２０への解除操作が可能とされている。凹所２１の両側縁には、ロックアーム１６を挟んだ両側に、一対の保護壁２２が立ち上げ形成されている。ロックアーム１６は両保護壁２２によって外部異物との干渉を回避可能とされている。
【００２２】
また、図６に示すように、嵌合筒部１２の上壁の両側縁には、一対の張出片２３が両側外方に張り出して形成されている。両張出片２３は、板片状をなし、その後端が前方へ向けてテーパ状に拡開し、その前端が幅方向に延びて嵌合筒部１２の前端と面一で連なる形態とされている。
【００２３】
図８に示すように、嵌合筒部１２の後端には、両側面と下面とに跨って周方向に延出する溝部２４が凹み形成されている。このうち、嵌合筒部１２の両側面の溝部２４には、図３にも示すように、一対のロック本体部２５が突出して形成されている。ロック本体部２５は、嵌合筒部１２の上下方向略中央部に位置して上下方向に細長く延びるリブ状の形態とされ、ハウジング１０の後端から前方へ向けて拡開するテーパ状の案内面２６と、溝部２４の前端との間に間隔をあけて配置される上下方向にほぼ沿った係止面２７とを有している。
【００２４】
また、図８に示すように、嵌合筒部１２の両側面の溝部２４には、ロック本体部２５を挟んだ上下両側に、一対ずつの第１、第２ハウジング側ロック部２８、２９が突出して形成されている。第１ハウジング側ロック部２８は、溝部２４の上端側に位置し、溝部２４の前端からハウジング１０の後端にかけて前後方向に細長く延びるリブ状の形態とされている。第２ハウジング側ロック部２９は、溝部２４の前端との間に間隔をあけて配置され、両側面の溝部２４の下端側に位置して上下方向に延びるとともに、下面の溝部２４に位置して全幅に亘って細長く延びる形態とされている。第２ハウジング側ロック部２９の突出量は、溝部２４の深さとほぼ同一とされ、第１ハウジング側ロック部２８及びロック本体部２５のそれぞれの突出量よりも大きくされている。
【００２５】
アタッチメント６０は合成樹脂製であって、図１及び図４に示すように、互いに連結可能な一対の半割体６１によって構成される。半割体６１は、互いに同一形状とされ、一方の半割体６１が他方の半割体６１に対し上下反転した姿勢をとって連結されるようになっている。図１６に示すように、連結状態における両半割体６１の内部には、電線５００を通す電線通し空間６６が形成されるようになっている。
【００２６】
具体的には、半割体６１は、図１３に示すように、全体として板片状をなし、側面視略矩形状の本体部６２と、本体部６２の前縁に段付き状に連なる上下一対のアタッチメント側ロック部６３と、本体部６２の後縁から外側に突出する指掛け部６４と、本体部６２の上下両縁から内側（相手の半割体６１が位置する側）に突出する相互ロック部６５、６７とを有している。
【００２７】
図１１に示すように、本体部６２の略中央部には、通水孔６８が開口して形成されている。また、本体部６２には、通水孔６８の内部を覆うように後方へ張り出す覆い片６９が形成されている。ここで、アタッチメント６０内に浸入した水は、通水孔６８を通して外部に排水可能とされ、且つ、外部からの水は、覆い片６９によってアタッチメント６０内への浸入を阻止可能とされている。
【００２８】
図１０に示すように、本体部６２の前端部の上下方向略中央部には、上下方向に細長く延びるロック本体孔７１が貫通して形成されている。図３に示すように、ロック本体孔７１には、ハウジング１０のロック本体部２５が嵌合して係止可能とされている。
【００２９】
図１２に示すように、アタッチメント側ロック部６３は、ロック本体孔７１を挟んだ上下両側に対をなして配置され、本体部６２の外面よりも外側に突出する形態とされている。この場合、上下のアタッチメント側ロック部６３は、互いに同一形状とされている。また、本体部６２における両アタッチメント側ロック部６３の間には、ロック本体孔７１を底面に有する凹部７２が形成されている。図１０に示すように、アタッチメント側ロック部６３の内面には、前後方向に延出する第１ロック受け部７３が凹み形成されているとともに、上下方向に延出する第２ロック受け部７４が凹み形成されている。第１、第２ロック受け部７３、７４は、互いにロック本体孔７１寄りの後端部で連通しており、全体として側面視Ｌ字形をなしている。ここで、第１ロック受け部７３には、第１ハウジング側ロック部２８が嵌合して係止可能とされ、第２ロック受け部７４には、第２ハウジング側ロック部２９が嵌合して係止可能とされている。
【００３０】
相互ロック部６５、６７は、図９に示すように、本体部６２の上下両縁のうちの一方縁に配置された第１相互ロック片６５と、他方縁に配置された第２相互ロック片６７とで構成されている。さらに、第１相互ロック片６５は、内側に突出する基端側ロック片７５と、基端側ロック片７５の内端に段付き状に連なって内側に突出する先端側ロック片７６とからなる。図１１に示すように、先端側ロック片７６の内部には、相互ロック孔７７が貫通して形成されている。図９に示すように、第２相互ロック片６７は、内側に突出する形態とされ、基端側ロック片７５の突出量とほぼ同一の突出量を有している。そして、第２相互ロック片６７の先端部には、相互ロック突起７８が外側に突出して形成されている。図１及び図４に示すように、第１相互ロック片６５の相互ロック孔７７には、第２相互ロック片６７の相互ロック突起７８が嵌合して係止可能とされている。
【００３１】
また、図３に示すように、相互ロック部６５、６７は、本体部６２の上下両縁の後部に配置されている。図１に示すように、本体部６２の前部内側には、相互ロック部６５、６７の前方に、貫通孔７９が開放して形成されている。アタッチメント６０がハウジング１０に取り付けられた状態では、貫通孔７９の前方がハウジング１０の後端で閉止されるようになっている。
【００３２】
指掛け部６４は、図３に示すように、本体部６２の後端縁に沿って上下方向に延出するリブ状の形態とされている。図１に示すように、アタッチメント６０がハウジング１０に取り付けられた状態では、指掛け部６４はコネクタの後端に位置して両側外方に張り出すように配置されるようになっている。
【００３３】
次に、本実施例のコネクタの作用効果を説明する。
組み付けに際し、ハウジング１０の各キャビティ１４内に、後方から端子金具１００が挿入される。全ての端子金具１００がキャビティ１４内に挿入されると、各端子金具１００に接続された電線５００がハウジング１０の各筒部１５から後方に引き出される。続いて、各電線５００を間に挟むようにして一対の半割体６１が対向して配置される。この場合に、両半割体６１は相互の上下の向きを異ならせて配置され、これによって第１相互ロック片６５には第２相互ロック片６７が対向位置し、第２相互ロック片６７には第１相互ロック片６５が対向位置するようになっている。その状態で、両半割体６１が互いに接近すると、先端側ロック片７６が相互ロック突起７８に干渉して基端側ロック片７５との連結位置を支点として外側に撓み変形させられる。両半割体６１が正規の連結位置に至ると、第２相互ロック片６７と基端側ロック片７５の先端同士が互いに突き合わされ、且つ先端側ロック片７６が弾性復帰するとともに、相互ロック孔７７に相互ロック突起７８が嵌り込み、両半割体６１が互いに離脱規制状態に保持される。
【００３４】
次いで、アタッチメント６０をハウジング本体１１の後端部に取り付ける。取り付け過程では、本体部６２の前端部がロック本体部２５の案内面２６を摺動して外側に拡開させられ、取り付け完了時には、図３に示すように、ロック本体孔７１にロック本体部２５が嵌合して係止面２７に係止可能に配置される。これにより、アタッチメント６０がハウジング１０に対して抜け止め保持される。また、取り付け完了時には、本体部６２の前端部が弾性復帰して溝部２４に嵌合し、アタッチメント側ロック部６３が第１、第２ハウジング側ロック部２８、２９を外側から覆うように配置される。すると、アタッチメント側ロック部６３の第１ロック受け部７３に第１ハウジング側ロック部２８が嵌合するとともに、アタッチメント側ロック部６３の第２ロック受け部７４に第２ハウジング側ロック部２９が嵌合する。これにより、ハウジング１０に対するアタッチメント６０の取り付け姿勢が前後に傾くのが規制される。ここで、第１、第２ハウジング側ロック部２８、２９は互いに異なる形状とされているため、アタッチメント６０の取り付け姿勢の傾きを効果的に規制することが可能となっている。なお、ハウジング１０に対するアタッチメント６０の取り付け作業は、両半割体６１を連結する作業と同時に行ってもよい。
【００３５】
上記のようにアタッチメント６０がハウジング１０に取り付けられた状態では、図４に示すように、アタッチメント６０の後面に、電線通し空間６６に連通する背面視矩形の開口部８９が形成される。これにより、ハウジング１０の各キャビティ１４から引き出された電線５００は開口部８９を通して外部に配出されるようになっている。
【００３６】
図４に示すように、各キャビティ１４から電線５００が引き出されていない状態のコネクタを背面から視ると、アタッチメント６０の後端に開口部８９が臨み、開口部８９を通して全てのキャビティ１４の後端開口面及び全ての筒部１５の後端開口縁を目視により確認することが可能となっている。詳細には、全てのキャビティ１４の後端開口面を前後方向に沿って後方へ投影した場合に、その全てのキャビティ１４の後端開口面の投影面が開口部８９の内側に位置するように構成されている。同様に、全ての筒部１５の後端開口縁を前後方向に沿って後方へ投影した場合には、その全ての筒部１５の後端開口縁の投影面が開口部８９の内側に位置するように構成されている。つまり、本実施例のアタッチメント６０は、従前の電線カバーと違って、各電線５００を強制的に屈曲する内面を有さない構成になっている。このため、各電線５００は、アタッチメント６０によって拘束されることなく、電線通し空間６６内に実質的に遊挿された状態で配置される。
【００３７】
また、アタッチメント６０がハウジング１０に取り付けられた状態では、図５に示すように、アタッチメント６０の上下両面における相互ロック部６５、６７の前方で且つハウジング本体１１の後方に、貫通孔７９が上下方向に同軸で貫通するようになっている。このうち、アタッチメント６０の上面側の貫通孔７９にはロックアーム１６の操作部２０が上方から臨むように配置され、操作部２０を押圧操作する際に、上面側の貫通孔７９は、その内部に手指を進入させて逃がすことが可能な操作空間８８となる。また、アタッチメント６０の下面側の貫通孔７９は、アタッチメント６０内に浸入した水を外部に排出することが可能な水抜き空間８７となる。
【００３８】
さらに、図５に示すように、アタッチメント６０がハウジング１０に取り付けられた状態では、アタッチメント６０の上面における相互ロック部６５、６７が、自然状態にあるロックアーム１６のアーム本体部１８と高さ方向で重なる位置に配置され、コネクタの低背化が実現されている。
【００３９】
上記の場合、仮に、相互ロック部６５、６７がアタッチメント６０の上面の前部に位置していると、押圧操作される操作部２０が相互ロック部６５、６７と干渉する可能性があるため、操作部２０と相互ロック部６５、６７との間に高さ方向のクリアランスを設けなければならず、コネクタの高背化を回避し得ないという事情がある。その点、本実施例では、相互ロック部６５、６７がアタッチメント６０の上面の後部に位置しているため、操作部２０と相互ロック部６５、６７とを高さ位置でラップさせて低背化を実現することが可能となっており、しかも貫通孔７９の操作空間８８によって操作部２０を円滑に押圧操作することが可能となっている。
【００４０】
続いて、上記アタッチメント６０を取り付けたハウジング１０は、図１６に示すように、コネクタ収容部３０２の奥側に待ち受け状態で配置された相手ハウジング２００に嵌合される。この場合、コネクタ収容部３０２の収容空間３０３にはハウジング１０の全体が収容され、アタッチメント６０はその前端部を除いて壁部３００の壁面３０１の手前側に露出して配置される。このため、作業者は、ハウジング１０ではなくアタッチメント６０を把持することにより、コネクタ収容部３０２の収容空間３０３にハウジング１０を円滑に差し入れ、且つ相手ハウジング２００と嵌合させることができる。特に、図１４に示すように、アタッチメント６０の後端には一対の指掛け部６４が両側方に張り出しているため、両指掛け部６４を手指で摘むことにより、ハウジング１０の挿入作業をより円滑に行うことができる。なお、アタッチメント６０の前端部には両アタッチメント側ロック部６３の間に凹部７２が形成されているため、ここに手指をあてがうのが難しくなっており、指掛け部６４に手指をあてがうのが優先されるようになっている。
【００４１】
図１６に示すように、ハウジング１０がコネクタ収容部３０２の収容空間３０３に正規深さで挿入されて相手ハウジング２００に正規嵌合されると、ロックアーム１６がロック突起２０２を弾性的に係止して、両ハウジング１０、２００が離脱規制状態に保持されるとともに、端子金具１００が相手端子金具４００に正規接続される。また、図１４及び図１５に示すように、アタッチメント６０の開口部８９から配出される各電線５００は、開口部８９の後方で前後方向と交差する方向に屈曲させられ、壁部３００の壁面３０１にほぼ沿って配索されるようになっている。
【００４２】
以上説明したように、本実施例によれば、ハウジング１０が壁部３００の壁面３０１よりも奥側の収容空間３０３に挿入されたときに、アタッチメント６０が壁面３０１よりも手前側に露出する部分を有するから、その露出部分に手指をあてがうことにより、ハウジング１０が短寸であっても、ハウジング１０を収容空間３０３に支障なく設置することができる。
【００４３】
また、アタッチメント６０が各電線５００を間に挟んだ両側に対向して連結される一対の半割体６１からなるため、ハウジング１０の後面から各電線５００を引き出した状態で、ハウジング１０にアタッチメント６０を取り付けることができる。この場合、一対の半割体６１が互いに同一形状とされているため、両半割体６１を成形するために別々の金型を用意する必要がなく、コストを低減することができる。
【００４４】
また、両半割体６１が互いの上下の向きを異にして連結されることにより、両半割体６１の上下両面に形成された貫通孔７９が、アタッチメント６０の下面に開口して水を抜くことが可能な水抜き空間８７になるとともに、アタッチメント６０の上面に開口してロックアーム１６の解除操作を許容する操作空間８８になるため、全体の構成が簡素化される。
【００４５】
また、アタッチメント６０には指掛け部６４が側方（嵌合方向と交差する方向）に張り出して形成されているため、指掛け部６４に手指をあてがい易くなり、コネクタ収容部３０２の収容空間３０３への挿入作業及び相手ハウジング２００との嵌合作業を円滑に行うことができる。
【００４６】
また、ハウジング１０には第１、第２ハウジング側ロック部２８、２９が形成され、アタッチメント６０には第１、第２ハウジング側ロック部２８、２９にそれぞれ係止可能な２つのアタッチメント側ロック部６３が形成されており、第１、第２ハウジング側ロック部２８、２９が形状を異にする２種で構成され、２つのアタッチメント側ロック部６３が２種のハウジング側ロック部のいずれとも係止可能な形状を有する単一種で構成されているため、ハウジング１０にアタッチメント６０を取り付ける際に、アタッチメント６０の取付姿勢の向きを気にしなくても、第１、第２ハウジング側ロック部２８、２９にアタッチメント側ロック部６３が係止させることができる。また、第１、第２ハウジング側ロック部２８、２９が形状を異にする２種で構成されることにより、ハウジング１０に対するアタッチメント６０の取付姿勢が不正に傾くのを効果的に防止することができる。
【００４７】
また、アタッチメント６０の開口部８９の内側に全てのキャビティ１４の後端開口面の投影面全体が位置するため、ハウジング１０の後面から引き出された各電線５００の動きがアタッチメント６０によって実質的に拘束されることはなく、電線配索の自由度が高められる。
【００４８】
本発明は上記記述及び図面によって説明した実施例に限定されるものではなく、例えば次のような態様も本発明の技術的範囲に含まれる。
（１）ハウジング全体が壁部の壁面よりも奥側の収容空間に挿入される場合に、アタッチメントが壁面よりも手前側に露出する部分を有することにより、挿入時にアタッチメントを把持することができるという点に着目する限り、アタッチメントが電線の配索方向を規定する電線カバーとして構成されるものであってもよい。
（２）ハウジング側ロック部が３種以上の複数種で構成され、アタッチメント側ロック部がいずれのハウジング側ロック部とも係止可能な形状を有する単一種で構成されるものであってもよい。
（３）一対の半割体は互いに異形状であってもよい。
（４）貫通孔は両半割体の上下両面のうちのいずれか一面のみに形成されるものであってもよい。
【符号の説明】
【００４９】
１０…ハウジング
１４…キャビティ
１６…ロックアーム
２０…操作部
２８…第１ハウジング側ロック部
２９…第２ハウジング側ロック部
６０…アタッチメント
６１…半割体
６３…アタッチメント側ロック部
６５…第１相互ロック片（相互ロック部）
６６…電線通し空間
６７…第２相互ロック片（相互ロック部）
７９…貫通孔
８７…水抜き空間
８８…操作空間
８９…開口部
１００…端子金具
２００…相手ハウジング
３００…壁部
３０１…壁面
３０３…収容空間
４００…相手端子金具
５００…電線
【図１】
2014022288.tif 000003
【図２】
2014022288.tif 000004
【図３】
2014022288.tif 000005
【図４】
2014022288.tif 000006
【図５】
2014022288.tif 000007
【図６】
2014022288.tif 000008
【図７】
2014022288.tif 000009
【図８】
2014022288.tif 000010
【図９】
2014022288.tif 000011
【図１０】
2014022288.tif 000012
【図１１】
2014022288.tif 000013
【図１２】
2014022288.tif 000014
【図１３】
2014022288.tif 000015
【図１４】
2014022288.tif 000016
【図１５】
2014022288.tif 000017
【図１６】
2014022288.tif 000018
【手続補正書】
【提出日】平成24年10月2日(2012.10.2)
【手続補正１】
【補正対象書類名】特許請求の範囲
【補正対象項目名】全文
【補正方法】変更
【補正の内容】
【特許請求の範囲】
【請求項１】
壁部の壁面よりも奥側に位置して壁面に開口する収容空間にほぼ全体が挿入され、前記収容空間で相手ハウジングと嵌合されるものであり、手前側を向く後面から電線が引き出されるハウジングと、
前記電線を通す空間を有して前記ハウジングに取り付けられ、前記ハウジングが前記収容空間に挿入されたときに、前記壁面よりも手前側に露出する部分を有するアタッチメントとを備えることを特徴とするコネクタ。
【請求項２】
前記アタッチメントが、前記電線を間に挟んだ両側に対向して連結される一対の半割体からなることを特徴とする請求項１記載のコネクタ。
【請求項３】
前記一対の半割体が互いに同一形状とされていることを特徴とする請求項２記載のコネクタ。
【請求項４】
前記アタッチメントには、前記ハウジングの嵌合方向と交差する方向に突出して手指を引っ掛けることが可能な指掛け部が形成されていることを特徴とする請求項１ないし３のいずれか１項記載のコネクタ。
【請求項５】
前記ハウジングには複数のハウジング側ロック部が形成され、前記アタッチメントには前記複数のハウジング側ロック部にそれぞれ係止可能な複数のアタッチメント側ロック部が形成されており、前記複数のハウジング側ロック部が形状を異にする複数種で構成され、前記複数のアタッチメント側ロック部が前記複数種のハウジング側ロック部のいずれとも係止可能な形状を有する単一種で構成されていることを特徴とする請求項１ないし４のいずれか１項記載のコネクタ。
【請求項６】
前記ハウジングには、前記相手ハウジングを嵌合状態に係止可能なロックアームが撓み可能に形成され、
前記一対の半割体は、それぞれ貫通孔を有して互いに上下反転した状態で前記ハウジングに取り付けられ、取付状態では、前記貫通孔が、前記アタッチメントの下面に開口して水を抜くことが可能な水抜き空間になるとともに、前記アタッチメントの上面に開口して前記ロックアームへの操作を許容する操作空間になることを特徴とする請求項２又は３記載のコネクタ。